(57)【要約】【課題】耐久性に優れ、感度が高いＩＣタグインレット入り非金属性人工歯を簡易かつ安価な方法で提供すること。【解決手段】個体を識別する識別符号を保持し、かつ非接触で外部の読取装置と該識別符号を含むデータの通信が可能なＩＣタグインレット２００を、非金属性人工歯１２０における入れ歯の義歯床部と接合又は差し歯の土台部と嵌合した後は外部と接触しない非接触部から該非金属性人工歯１２０に孔１２１をあけて挿入し、充填剤２０１で塞いでＩＣタグインレット入り非金属性人工歯を製造する。ＩＣタグインレット２００のアンテナコイルの軸心が口の正面を向くように方向を定めたＩＣタグインレット２００が人工歯１２０の孔１２１に挿入される。また、ＩＣタグインレットが人工歯１２０の孔１２１に挿入される前に、アンテナコイルが形状保持剤で固定される。【選択図】図４
2015119914.tif 000002
【特許請求の範囲】
【請求項１】
個体を識別する識別符号を保持し、かつ非接触で外部の読取装置と該識別符号を含むデータの通信が可能なＩＣタグインレットを、非金属性人工歯における入れ歯の義歯床部と接合又は差し歯の土台部と嵌合した後は外部と接触しない非接触部から該非金属性人工歯に孔をあけて挿入し、充填剤で塞いだことを特徴とするＩＣタグインレット入り非金属性人工歯。
【請求項２】
請求項１に記載のＩＣタグインレット入り非金属性人工歯において、前記ＩＣタグインレットのアンテナコイルの軸心が口の正面を向くように方向を定めた前記ＩＣタグインレットが前記非金属性人工歯の孔に挿入されることを特徴とするＩＣタグインレット入り非金属性人工歯。
【請求項３】
請求項１又は２に記載のＩＣタグインレット入り非金属性人工歯において、前記ＩＣタグインレットが前記非金属性人工歯の孔に挿入される前に、アンテナコイルが形状保持剤で固定されることを特徴とするＩＣタグインレット入り非金属性人工歯。
【請求項４】
請求項１から３のいずれか１項に記載のＩＣタグインレット入り非金属性人工歯と、
前記非金属性人工歯の前記非接触部と接合する義歯床部と、
を有することを特徴とするＩＣタグインレット入り入れ歯。
【請求項５】
非金属性人工歯における入れ歯の義歯床部と接合又は差し歯の土台部と嵌合した後は外部と接触しない非接触部から該非金属性人工歯に孔をあける工程と、
個体を識別する識別符号を保持し、かつ非接触で外部の読取装置と該識別符号を含むデータの通信が可能なＩＣタグインレットを挿入する工程と、
前記ＩＣタグインレットが挿入された孔を充填剤で塞ぐ工程と、
を含むことを特徴とするＩＣタグインレット入り非金属性人工歯の製造方法。
【請求項６】
請求項５に記載のＩＣタグインレット入り非金属性人工歯の製造方法において、ＩＣタグインレットを挿入する工程では、前記ＩＣタグインレットのアンテナコイルの軸心が口の正面を向くように方向を定めた前記ＩＣタグインレットが前記非金属性人工歯の孔に挿入されることを特徴とするＩＣタグインレット入り非金属性人工歯の製造方法。
【請求項７】
請求項５又は６に記載のＩＣタグインレット入り非金属性人工歯の製造方法において、前記ＩＣタグインレットを前記人工歯の孔に挿入する前に、前記ＩＣタグインレットのアンテナコイルを形状保持剤で固定する工程をさらに含むことを特徴とするＩＣタグインレット入り非金属性人工歯の製造方法。
【発明の詳細な説明】
【技術分野】
【０００１】
本発明は、個人を容易に識別することが可能となる、個人情報を登録したＩＣタグインレットを挿入した非金属性人工歯とその製造方法及びＩＣタグインレット入り入れ歯に関する。
【背景技術】
【０００２】
入れ歯の形状は似ているものが多く、老人ホームにおいて洗浄するときなど、入れ歯の持ち主から一旦離れてしまうと、持ち主のものかどうか判断するのが難しい。そのため、入れ歯と持ち主を直接結びつける手段が必要とされている。その手段の１つとして名前や住所等を示す番号を印字した小さなテープを入れ歯に埋め込み、入れ歯の持ち主を特定する方法がある。また、特許文献１には個人情報を登録したＩＣタグを入れ歯に埋め込み、ＩＣタグを読取装置で読み取って、個人情報を引き出し照合することで入れ歯の持ち主を特定する方法が開示されている。
【０００３】
このような個人を特定する手段は、大地震などにおいて本人識別が不可能となった場合に身元確認として利用することができる。また、大地震などの被災者が入れ歯や人工歯（義歯、差し歯）を紛失するのを防止する目的でも利用される。特許文献２には、ＩＣタグを人体の歯（歯科用構造体）の内部に設置して、患者の生体情報をモニタする発明が開示されている。
【０００４】
入れ歯や人工歯に使用するＩＣタグは小型で、感度や耐久性が優れたものが、必要とされている。近年ＩＣタグの小型化が進んでおり、例えば特許文献３では、アンテナコイルを含めた大きさで、１立方ミリメートル以下のＩＣタグインレットが開示されている。このような小型のＩＣタグインレットを使用することで、人工歯への埋め込みが容易かつ簡易になってきている。
【先行技術文献】
【特許文献】
【０００５】
【特許文献１】登録実用新案第３１３９６３５号公報
【特許文献２】特許第４１６０７８８号明細書
【特許文献３】特開２０１１−２２１７７１号公報
【発明の概要】
【発明が解決しようとする課題】
【０００６】
上述したように、入れ歯の持ち主を特定する手段として名前や住所等を示す番号を印字した小さなテープを入れ歯に埋め込む方法があるが、テープは埋め込んでいるため、入れ歯から取り外さないと読めない。また、洗浄や長年の使用によりテープが外れてしまうことも考えられる。そのため、入れ歯に埋め込み、埋没させたまま読みとることができるＩＣタグを使用することが望ましい。
【０００７】
特許文献１には個人情報を登録したＩＣタグを埋め込んだ入れ歯が開示されているが、入れ歯の義歯床部（歯肉部）にＩＣタグを埋め込むには、入れ歯の形成工程中に埋め込む必要がある。通常、入れ歯は模擬義歯床をベースプレートとワックスで形成した後、義歯を埋め込み、全体の模型を石膏で埋め込み、ワックスを溶かしベースプレートも取り出して、石膏で型取りした空間に合成樹脂を注入し、圧力をかけた後に熱硬化させる工程を経て形成される。ＩＣタグは、合成樹脂を注入する際に埋め込む必要があるが、より容易にＩＣタグを入れ歯に埋め込む方法が望まれる。また、入れ歯を使用中にも読取装置でＩＣタグを読み取ることができるよう、読取装置を近づけやすい歯に埋め込まれることが望ましい。
【０００８】
特許文献２には、歯科用築造体または人工歯根（インプラント体）にＩＣタグを封入し、歯冠修復物を被せる発明が記載されているが、歯冠修復物を被せているため、被せない場合と比べてＩＣタグの感度が鈍くなる。また、歯冠修復物が金属の場合には、ＩＣタグの感度が弱まり、機能しなくなる場合もある。さらに、特許文献２のＩＣタグはアンテナコイルから長いリード線を有するため、インダクタンスが不安定となり得る。インダクタンスが不安定になると、測定の誤差が生じる。そこで、ＩＣタグの感度を高くし、インダクタンスを安定に保つための工夫が望まれる。
【０００９】
本発明の目的は、上記課題に鑑み、耐久性に優れ、感度が高いＩＣタグインレット入り非金属性人工歯（入れ歯用義歯、差し歯）を簡易かつ安価な方法で提供することである。
【課題を解決するための手段】
【００１０】
本発明の１は、個人を識別する識別符号を保持し、かつ非接触で外部の読取装置と該識別符号を含むデータの通信が可能なＩＣタグインレットを、非金属性人工歯における入れ歯の義歯床部と接合又は差し歯の土台部と嵌合した後は外部と接触しない非接触部から該非金属性人工歯に孔をあけて挿入し、充填剤で塞いだことを特徴とするＩＣタグインレット入り非金属性人工歯である。
【００１１】
本発明の２は、本発明の１のＩＣタグインレット入り非金属性人工歯において、前記ＩＣタグインレットのアンテナコイルの軸心が口の正面を向くように方向を定めた前記ＩＣタグインレットが前記非金属性人工歯の孔に挿入されることを特徴とする。
【００１２】
本発明の３は、本発明の１又は２のＩＣタグインレット入り非金属性人工歯において、前記ＩＣタグインレットが前記非金属性人工歯の孔に挿入される前に、アンテナコイルが形状保持剤で固定されることを特徴とする。
【００１３】
本発明の４は、本発明の１〜３のいずれかに記載のＩＣタグインレット入り非金属性人工歯と、
前記非金属性人工歯の前記非接触部と接合する義歯床部と、
を有することを特徴とするＩＣタグインレット入り入れ歯である。
【００１４】
本発明の５は、非金属性人工歯における入れ歯の義歯床部と接合又は差し歯の土台部と嵌合した後は外部と接触しない非接触部から該非金属性人工歯に孔をあける工程と、
個人を識別する識別符号を保持し、かつ非接触で外部の読取装置と該識別符号を含むデータの通信が可能なＩＣタグインレットを挿入する工程と、
前記ＩＣタグインレットが挿入された孔を充填剤で塞ぐ工程と、
を含むことを特徴とするＩＣタグインレット入り非金属性人工歯の製造方法である。
【００１５】
本発明の６は、本発明の５のＩＣタグインレット入り非金属性人工歯の製造方法において、ＩＣタグインレットを挿入する工程では、前記ＩＣタグインレットのアンテナコイルの軸心が口の正面を向くように方向を定めた前記ＩＣタグインレットが前記非金属性人工歯の孔に挿入されることを特徴とする。
【００１６】
本発明の７は、本発明の５又は６のＩＣタグインレット入り非金属性人工歯の製造方法において、前記ＩＣタグインレットを前記非金属性人工歯の孔に挿入する前に、前記ＩＣタグインレットのアンテナコイルを形状保持剤で固定する工程をさらに含むことを特徴とする。
【発明の効果】
【００１７】
本発明の１のＩＣタグインレット入り非金属性人工歯によれば、非金属性人工歯における入れ歯の義歯床部と接合又は差し歯の土台部と嵌合した後は外部と接触しない非接触部から該非金属性人工歯に孔をあけてＩＣタグインレットを挿入し、充填剤で塞ぐため、入れ歯の義歯床部と接合又は差し歯の土台部と嵌合した後は口腔内の皮膚に直接触れることもなく、人体に害を及ぼさない。また、ＩＣタグインレットが完全に非金属性人工歯に密閉されるため、口腔内の唾液や食物に含まれる酸や塩等に触れることによるＩＣタグインレットの侵蝕を防ぐことができる。それにより耐久性の優れた非金属性人工歯を提供することができる。さらに、既存の非金属性人工歯（入れ歯用義歯、差し歯）を使用することにより、簡易かつ安価にＩＣタグインレット入り非金属性人工歯を提供することができる。
【００１８】
本発明の２によれば、ＩＣタグインレットのアンテナコイルの軸心が口の正面を向くように方向を定めたＩＣタグインレットが非金属性人工歯の孔に挿入されるため、入れ歯又は差し歯を口に装着した後でも、口の正面に読取装置をあてることで感度よくＩＣタグインレットに記録されている情報を読み取ることができる。
【００１９】
本発明の３によれば、ＩＣタグインレットが非金属性人工歯の孔に挿入される前に、アンテナコイルが形状保持剤で固定されるため、ＩＣタグインレットを非金属性人工歯の孔に挿入する際の、アンテナコイルの変形を防ぐことができる。また、このように固定することで、アンテナコイルとＩＣチップの相対位置が変化せず、インダクタンスを安定に保つことができる。アンテナコイルは立体的であるため、ＩＣタグインレットを非金属性人工歯の孔に挿入する際に不要な空隙が生じるような虞を回避することができる。それにより、さらに感度の高いＩＣタグインレット入り非金属性人工歯を提供することができる。
【００２０】
本発明の４のＩＣタグインレット入り入れ歯によれば、入れ歯に使用する予定の既存の歯１本にＩＣタグインレットを挿入するだけで、容易にＩＣタグインレット入り入れ歯を提供できる。それにより、老人ホームで入れ歯を洗浄するときなどに入れ歯を外した後、入れ歯が持ち主のものかどうか不明である場合においても、読取装置で読みとるだけで、容易に持ち主を判別することができる。また、非金属性人工歯にＩＣタグインレットを封入しているため、入れ歯を使用中にも読取装置でＩＣタグインレットを読み取りやすくなる。
【００２１】
本発明の５の製造方法によれば、既存の非金属性人工歯を使用して、ＩＣタグインレットを非金属性人工歯に完全に封入することができるため、より簡易かつ安価にＩＣタグインレット入り人工歯を製造することができる。また、ＩＣタグインレットを直接、人工歯に封入しているため、歯冠修復物を被せている場合と比べて、ＩＣタグインレットの感度が高くなる。
【００２２】
本発明の６の製造方法によれば、ＩＣタグインレットを挿入する工程において、ＩＣタグインレットのアンテナコイルの軸心が口の正面を向くように方向を定めているので、感度よく読み取られるＩＣタグインレット入り非金属性人工歯を製造することができる。
【００２３】
本発明の７の製造方法によれば、ＩＣタグインレットを前記非金属性人工歯の孔に挿入する前に、ＩＣタグインレットのアンテナコイルを形状保持剤で固定するため、アンテナコイルの変形を防ぎ、インダクタンスを安定に保ち、またアンテナコイル内の余計な空隙ができることを回避できるため、更に感度よく読み取られるＩＣタグインレット入り非金属性人工歯を製造することができる。
【図面の簡単な説明】
【００２４】
【図１】本発明の第１及び第２の実施例の非金属性人工歯で使用するＩＣタグインレットの説明図である。
【図２】本発明の第１の実施例である入れ歯の模式図である。
【図３】図２に示す入れ歯に使用する義歯の模式図である。
【図４】本発明の第１の実施例である義歯にＩＣタグインレットを挿入し、義歯床部に接合させる工程を示した断面図である。
【図５】図４に示すＩＣタグインレット入り義歯の製造工程の流れを示すブロック図である。
【図６】本発明の第１の実施例であるＩＣタグインレット入り入れ歯とその使用例を示す説明図である。
【図７】本発明の第２の実施例である差し歯の模式図である。
【発明を実施するための形態】
【００２５】
以下、本発明の実施の形態（以下実施例と記す）を、図面に基づいて説明する。なお、以下の図において、共通する部分には同一の符号を付しており、同一符号の部分に対して重複した説明を省略する。また、以下の説明では非金属性人工歯は、入れ歯に使用する非金属性の義歯と非金属性の差し歯（クラウン）を意味する。
【００２６】
図１（Ａ）は、本発明の実施例で使用するＩＣタグインレット２００の大きさを示す模式図である。図１（Ｂ）、（Ｃ）は、アンテナコイル１の軸心を活性面２に直交する向きに配置したＩＣタグインレットの構造を示した正面図と平面図である。また、図１（Ｄ）、（Ｅ）はアンテナコイル１の軸心を活性面２と並行に向けて配置したＩＣタグインレットの構造を示した正面図と平面図である。本実施例では、非金属性人工歯に使用する小型のＩＣタグインレットとして、特許文献３に開示されているＩＣタグインレットを使用するが、これに限定されず、小型であれば、いかなる種類のＩＣタグインレットを使用してもよい。
【００２７】
図１（Ａ）に示すように、ＩＣタグインレット２００の大きさは、縦１．０ｍｍ、横０．９５ｍｍ、厚さ（高さ）０．６５ｍｍ又は１．１０ｍｍである。ＩＣタグインレット２００は、図１（Ｂ）と（Ｃ）又は（Ｅ）と（Ｄ）に示すようにアンテナコイル１とＩＣチップ２が一体化しているため、このような小型のサイズとなっている。
【００２８】
図１（Ｂ）から（Ｄ）に示すように、ＩＣタグインレット２００は、絶縁被覆銅線を巻回して複数層に積層して円筒状に構成したアンテナコイル１をＩＣチップ２の活性面２２上に配置し、その両端のリード部１１をそれぞれ接続端子２１に接続して構成したものである。アンテナコイル１の巻数は、１３．５６ＭＨｚの周波数帯に対応するインダクタンスを確保するように設定されている。このアンテナコイル１の巻数により厚さ（高さ）が異なり、ＩＣタグインレット２００の通信距離が異なる。例えば図（Ｂ）と（Ｃ）の厚さが０．６５ｍｍのＩＣタグインレット２００のアンテナコイル１のインダクタンスは２．２μＨ、抵抗は１０．６Ω、共振周波数は１４．２６ＭＨｚで、ＩＣタグインレットの通信距離は３〜５ｍｍである。また、図（Ｄ）と（Ｅ）の厚さ（高さ）が１．１０ｍｍのＩＣタグインレット２００のアンテナコイル１のインダクタンスは２．２μＨ、抵抗は１０．６Ω、共振周波数は１４．１０ＭＨｚで、ＩＣタグインレット２００の通信距離は７〜１０ｍｍである。どちらの場合も充分に小型であるため、非金属性人工歯の大きさや挿入しやすさなどを考慮して、要望に応じて使い分けることができる。
【００２９】
また、アンテナコイル１の絶縁被覆銅線には、ポリウレタン絶縁被覆（自己融着型）が使用されており、線径が０．０２５ｍｍと非常に細いので、人工歯に挿入する際には、アンテナコイル１が変形しないように工夫する必要があり、詳細は後述するが、形状保持剤を用いてアンテナコイル１を固定する。このように固定することで、アンテナコイル１とＩＣチップ２の相対位置が変化せず、インダクタンスを安定に保つことができる。特に、特許文献３に開示されているようなアンテナコイル１とＩＣチップ２が一体化したＩＣタグインレットを使用することで、インダクタンスの安定性が保たれる。さらに、感度をよくするために、アンテナコイル１の軸心が口の正面（読取装置をあてる側）を向くように、ＩＣタグインレット２００の方向を定めて、非金属性人工歯に挿入することが好ましい。
【実施例１】
【００３０】
図２は、本発明の第１の実施例である入れ歯（総義歯）の上側の模式図である。入れ歯１００は、義歯床部（歯肉部）１０２と、義歯１０１とから形成される。義歯１０１の形状は歯種により様々であるが、前歯用義歯１１０と臼歯用義歯１１１の２種に大別される。本実施例では上側の入れ歯１００の義歯１０１を用いて説明するが、本発明の義歯を下側の入れ歯に適用することもできる。
【００３１】
入れ歯１００の形成は複数段階の工程を経る。入れ歯１００は、歯科医院において総義歯の患者の口の中を取った型（印象）を基にして、歯科技師により形成される。そのため、患者毎に入れ歯１００の形状は少しずつ異なり、入れ歯１００は各義歯１０１の噛み合わせをミクロン単位で精密に調整して形成される。
【００３２】
入れ歯１００は、まず模擬義歯床をベースプレートとワックスで形成し、義歯１０１を埋め込み、全体の模型を石膏で埋め込んだ後に、ワックスを溶かしベースプレートも取り出して、石膏で型取りした空間に合成樹脂を注入し、圧力をかけた後に熱硬化させる工程を経て形成される。模擬義歯床に義歯１０１を埋め込む際には、各義歯１０１の噛み合わせ配列のバランスなどが精密に調整される。義歯床部１０２の材料としては、合成樹脂だけでなく金属を使用する場合もあるが、本実施例では、ＩＣタグインレットに影響を与えない合成樹脂を使用する。
【００３３】
入れ歯１００の形成工程中、義歯１０１は一般に既製品が使用される。本実施例では入れ歯に使用する既製品の義歯１０１を使用して、ＩＣタグインレット入り人工歯（義歯）を製造する。特に読取装置による読み取り易さを考慮して、前歯用義歯１１０を使用する。
【００３４】
図３は、既製品である前歯用義歯１１０の一例である。図３に示すように、義歯は上顎前歯用（６本）、下顎前歯用（６本）、臼歯用（８本）など、歯の種類毎にセットで販売されている。また、各種類の義歯（例えば上顎前歯用）は、顔の輪郭（方型、卵型、混合型）等により、形や大きさが異なっており、色調も含めると数多くの種類がある。そのため、歯のパッケージ１３０には、型や色などが表示され、区別できるようになっている。
例えば上顎前歯用義歯では、図３に示す中切歯１２０の横幅（ｘで示す）は８ｍｍから９ｍｍ程のサイズがあり、縦幅（ｙで示す）は９ｍｍから１２ｍｍ程のサイズがある。また、歯のｘｙ平面直角方向（ｚ方向）は、一番幅のある部分で３ｍｍから４ｍｍ程度の幅を持つ。それゆえ、本実施例で使用する前述のＩＣタグインレット２００は、中切歯１２０に充分収まる大きさである。
【００３５】
また、義歯１０１の種類としては、陶歯やレジン歯、硬質レジン歯、金属歯などがある。義歯１０１は一般に、衝撃に耐えうる堅さを持つこと、摩耗や変着色に耐えうる安定性を持つこと、天然歯に類似した色調を再現できることなどが求められる。さらに、本実施例では、磁力線を透過し、挿入するＩＣタグインレットに影響を与えない非金属性の義歯１０１が必要である。本実施例では、上記の条件を満たす歯としてコンポジットレジン材を使用した硬質レジン歯を用いる（例えば「ベラシアＳＡアンテリア：（株）松風」）。
【００３６】
次に、義歯１０１にＩＣタグインレット２００を挿入する工程を図４と図５を用いて説明する。図４は、義歯１０１にＩＣタグインレット２００を挿入し、義歯床部１０２に接合させる工程を示した断面図であり、図５は、ＩＣタグインレット入り義歯の製造工程の流れを示すブロック図である。
【００３７】
本実施例では、ＩＣタグインレット２００を挿入する義歯１０１として、図３で説明した中切歯１２０を採用する。中切歯１２０は義歯全体の中央部にあるため、口に入れ歯１００を装着した状態であっても、読取装置を当てやすいからである。ＩＣタグインレット２００を挿入する義歯１０１は、中切歯１２０に限定されず、いかなる義歯１０１であってもよい。また、ＩＣタグインレット２００を挿入する義歯１０１は一本あれば、充分であるが、破損に備えて複数本の義歯にＩＣタグインレット２００を挿入してもよい。
【００３８】
まず、図５のステップ１（Ｓ１）で個人を識別する識別符号（ユーザーＩＤ）を保持したＩＣタグインレット２００と、個人の歯の大きさに適した義歯（ここでは中切歯１２０）を準備する。個人の情報（個人の名前、生年月日、住所、血液型など）はデータベースに記憶されている。外部の読取装置が、ＩＣタグインレット２００と通信することにより、この識別符号（ユーザーＩＤ）と対応する個人の情報をデータベースから参照し、情報を表示することができる。
【００３９】
次に、図５のステップ２（Ｓ２）で、図４（Ａ）に示すように、中切歯１２０における入れ歯１００の義歯床部１０２と接合した後は外部と接触しない非接触部から中切歯１２０に孔１２１をあける。本実施例では、この非接触部は、図に示すように中切歯１２０の根元部に相当する。孔１２１をあける道具には、例えばエアタービンが使用される。エアタービンは、回転速度が大きく、効率よく歯を切削できる道具である。本実施例で使用するＩＣタグインレット２００の大きさは１立方ミリメートル程であるため、孔１２１の大きさはそれが挿入できる直径１．４１ｍｍよりも大きく、１ｍｍより深い孔が必要である。
【００４０】
図５のステップ３（Ｓ３）で、中切歯１２０に孔１２１をあけた後、ＩＣタグインレット２００を中切歯１２０に挿入する前にＩＣタグインレット２００を形状保持剤で固定する。この工程は必ずしも必要な工程ではないが、より感度を高くするために、この工程を経ることが好ましい。ＩＣタグインレット２００は、前述のように、非常に細いアンテナコイル１を有するため、形状保持剤であらかじめ固定しておくことで、アンテナコイルの変形を防ぐことができ、感度の高いＩＣタグインレット入り義歯１０１を製造することができる。また、中切歯１２０に挿入する際には、アンテナコイルが引っ掛かることもなく、スムーズに挿入することができる。本実施例では、形状保持剤として非金属性の接着剤や被覆剤を使用する。
【００４１】
次に図５のステップ４（Ｓ４）で、図４（Ｂ）に示すように、ＩＣタグインレット２００を中切歯１２０の孔１２１に挿入する。このとき、アンテナコイル１の軸心が口の正面を向くようにＩＣタグインレット２００の方向を定めて、中切歯１２０に挿入することが好ましい。それにより、ＩＣタグインレット２００の感度を良くすることができる。
【００４２】
ＩＣタグインレット２００を中切歯１２０の孔１２１に挿入した後、図５のステップ５（Ｓ５）で、図４（Ｃ）に示すように、孔１２１に充填剤２０１を充填し、孔１２１を塞ぐ。本実施例では孔１２１を塞ぐ充填剤として、例えばコンポジットレジンを使用する。ＩＣタグインレット２００の機能を維持できる材料であれば、これに限定されない。孔１２１にコンポジットレジンを充填した後は、光を照射して硬化させて孔１２１を塞ぐ。コンポジットレジンは、プラズマ照射器などを用いて強度の光を照射することにより、数秒程（５〜１０秒）で硬化させることができる。
【００４３】
以上の工程により、ＩＣタグインレット入り義歯１０１を製造することができる。さらに図４（Ｄ）に示すように、入れ歯１００の義歯床部１０２に上記のＩＣタグインレット入り義歯１０１を接合させることにより、義歯１０１の孔１２１の入り口が密閉される。それにより、ＩＣタグインレットは口腔内の皮膚に直接触れることもなく、人体に害を及ぼさない。また口腔内の唾液や食物に含まれる酸や塩等に触れることによるＩＣタグインレットの侵蝕を防ぐことができる。
【００４４】
次に本実施例のＩＣタグインレット入り入れ歯１００の使用例を、図６を用いて説明する。前述のようにＩＣタグインレット１００には、固有の識別符号（ユーザーＩＤ）が含まれているため、ＩＣタグインレット入り入れ歯１００が老人ホームで洗浄するときなど、入れ歯の持ち主から離れてしまい、他人の入れ歯と区別できない場合においても図６に示すように読取装置４００を近づけるだけで、読取装置４００の表示から入れ歯１００の持ち主を容易に判断できる。読取装置４００は、入れ歯１００のＩＣタグインレット２００と通信することにより、この識別符号と対応する個人の情報をデータベースから参照し、情報を表示することができる。
【００４５】
また、ＩＣタグインレット入り入れ歯１００を人が装着した場合においても、歯に読取装置４００を近づけることにより、装着した入れ歯が自分のものかどうかを確認することができる。前述の通り、ＩＣタグインレットの通信距離は３ｍｍから１０ｍｍ程度であるため、読取装置４００で入れ歯の情報を読み取る際には、読取装置４００をＩＣタグインレット入り入れ歯１００に充分に近づけて使用する必要がある。
【実施例２】
【００４６】
図７は、本発明の第２の実施例である差し歯の模式図である。図７（Ａ）に示すように、差し歯（クラウン）３００は、芯となる土台部３１０に完全に嵌合する形状で形成されている。そのため、本実施例では、差し歯３００の形状を変形しないように、ＩＣタグインレットを挿入する。土台部３１０は通常、金属またはプラスチックから形成されるが、本実施例では、ＩＣタグインレットに影響を与えないようにするために、金属製の土台部は使用せず、非金属性の土台部３１０だけ使用する。
【００４７】
また、差し歯３００の材料は、実施例１の義歯１０１と同様に、陶材やレジン、硬質レジン、金属などがある。差し歯３００においても、義歯１０１と同様に、衝撃に耐えうる堅さを持つこと、摩耗や変着色に耐えうる安定性を持つこと、天然歯に類似した色調を再現できることなどが求められ、また、磁力線を透過し、挿入するＩＣタグインレットに影響を与えないことが必要である。本実施例では、非金属性の歯冠用コンポジットレジン材を使用した硬質レジン差し歯を用いる。磁力線を透過し、挿入するＩＣタグインレットに影響を与えない非金属性の差し歯であれば、これに限定されない。
【００４８】
本実施例においても、実施例１で説明した工程と同様な工程で、ＩＣタグインレット入り差し歯３００を形成する。まず、差し歯３００を土台から外し（図７（Ｂ））、差し歯３００の土台部３１０と嵌合した後は外部と接触しない非接触部から差し歯３００に孔をあける。実施例では、この非接触部は、差し歯３００の内側に相当する。孔の大きさと深さ、使用するＩＣタグインレット２００、孔をあける道具などは実施例１と同様である。
【００４９】
次にＩＣタグインレット２００を差し歯３００の孔に挿入する。このとき、実施例１と同様にＩＣタグインレット２００のアンテナ部を予め形状保持剤で固定しておくことが好ましく、また、ＩＣタグインレット２００のアンテナの軸心が口の正面を向くようにＩＣタグインレット２００の方向を定めて差し歯３００の孔に挿入することが好ましい。
【００５０】
ＩＣタグインレット２００を差し歯３００の孔に挿入した後は、孔を充填剤で塞ぐ。このとき使用する充填剤は、実施例１と同様にコンポジットレジンを使用するが、ＩＣタグインレット２００の機能を維持できる材料であれば、これに限定されない。孔１２１にコンポジットレジンを充填した後は、光を照射して硬化させて孔１２１を塞ぐ。
【００５１】
以上の工程により、ＩＣタグインレット入り差し歯３００を製造することができる。さらに図７（Ｃ）の断面図に示すように、土台３１０に上記のＩＣタグインレット入り差し歯３００を嵌合させることにより、差し歯３００の孔３２０の入り口が密閉される。
【００５２】
差し歯３００が非常に薄い場合、または形状が複雑でＩＣタグインレットを挿入するのが難しい場合には、図７（Ｄ）の断面図に示すように、土台３１０にＩＣタグインレット２００を挿入することも考えられる。このとき、土台３１０は磁力線を透過し、挿入するＩＣタグインレットに影響を与えない材料（例えば硬質レジン）で形成されている必要がある。この場合にも土台３１０に上記のＩＣタグインレット入り差し歯３００を嵌合させることにより、土台３１０の孔３２０の入り口が密閉される。
【００５３】
上記のＩＣタグインレット入り差し歯３００は、大災害等で本人識別が不可能となり身元確認が必要となる場合等に、実施例１と同様に読取装置を差し歯に近づけるだけで、読取装置の表示から差し歯３００の保持者の身元確認が容易にできる。読取装置は、差し歯３００のＩＣタグインレット２００と通信することにより、識別符号と対応する個人の情報をデータベースから参照し、情報を表示する。
【００５４】
また、差し歯３００を口腔内の土台３００に嵌めた後でも、差し歯が間違っていないかどうか確認する際などに、差し歯３００に読取装置をあてることで、差し歯３００の持ち主を容易に判断できる。
【００５５】
以上、説明してきたＩＣタグインレット入り人工歯（義歯、差し歯）は、入れ歯の義歯床部と接合又は差し歯の土台部と嵌合した後は口腔内の皮膚に直接触れることもなく、人体に害を及ぼさない。また、ＩＣタグインレットが完全に人工歯に密閉されるため、口腔内の唾液や食物に含まれる酸や塩等に触れることによるＩＣタグインレットの侵蝕を防ぐことができる。それにより耐久性の優れた人工歯を提供することができる。さらに、既存の人工歯（入れ歯用義歯、差し歯）を使用したことにより、簡易かつ安価にＩＣタグインレット入り人工歯を提供することができる。
【００５６】
また、ＩＣタグインレット入り人工歯の製造方法は、ＩＣタグインレットを挿入する工程において、ＩＣタグインレットのアンテナコイルを形状保持剤で固定しているため、アンテナコイルとＩＣチップの相対位置が変化せず、インダクタンスを安定に保つことができる。さらに、アンテナコイルが外側を向くように方向を定めているため、感度よく読み取られるＩＣタグインレット入り人工歯を製造することができる。
【００５７】
ＩＣタグインレット入り人工歯を使用した入れ歯は、老人ホームで入れ歯を洗浄するときなど、入れ歯の持ち主から離れてしまい、他人の入れ歯と区別できない場合においても読取装置を近づけるだけで、読取装置の表示から入れ歯１００の持ち主を容易に判断できるので、特に老人ホームなど、入れ歯を用いることの多い施設では有用である。
【符号の説明】
【００５８】
１…アンテナコイル、２…ＩＣチップ、１１…リード部、２１…接続端子、２２…活性面、１００…入れ歯、１０１…義歯、１０２…義歯床部、１１０…前歯用義歯、１１１…臼歯用義歯、１２０…中切歯、１２１…孔、１３０…歯のパッケージ、２００…ＩＣタグインレット、２０１…充填剤、３００…差し歯、３１０…土台、３２０…孔、４００…読取装置。
【図１】
2015119914.tif 000003
【図２】
2015119914.tif 000004
【図３】
2015119914.tif 000005
【図４】
2015119914.tif 000006
【図５】
2015119914.tif 000007
【図６】
2015119914.tif 000008
【図７】
2015119914.tif 000009